(57)【要約】      （修正有）【課題】トレイの支持部に対するトレイの係合、離脱構造を簡潔な形態にしてトレイの着脱操作を容易にし、走行中の振動などによってもトレイが容易に外れることが無いようにしたナースカートを提供する。【解決手段】ナースカート１は、キャスタ１４を備えるベース部１０と、前記ベース部１０に立設された複数の係止孔を有する支柱部１１と、上面が開放された略箱状のトレイ１２と該トレイ１２を載せる載置部１６であって前記トレイ１２を上から前記載置部１６に凹凸嵌合させる固定手段を設けたトレイ１２および載置部１６と、前記載置部１６を支持して前記支柱１１部の係止孔に係止されるブラケット部とを備える。【選択図】図１
2019013670.tif 000002
【特許請求の範囲】
【請求項１】
キャスタを備えるベース部と、
前記ベース部に立設された複数の係止孔を有する支柱部と、
上面が開放された略箱状のトレイと該トレイを載せる載置部であって前記トレイを上から前記載置部に凹凸嵌合させる固定手段を設けたトレイおよび載置部と、
前記載置部を支持して前記支柱部の係止孔に係止されるブラケット部と、
を備えるナースカート。
【請求項２】
固定手段は、トレイと載置部の間で、上下方向で凹凸嵌合するか、又は水平方向で凹凸嵌合する請求項１のナースカート。
【請求項３】
固定手段は、トレイの底壁下面に凸部又は凹部を設け、載置部の上面に前記凸部又は凹部と嵌合する凹部又は凸部を設けた請求項1又は２のナースカート。
【請求項４】
凸部は、根元側がその先側より太い断面形状を有する略紡錘状又は略茸状若しくは略ダボ状の挟持凸部である請求項３のナースカート。
【請求項５】
凹部は、挟持凸部を外面からバネ力で挟持する保持部である請求項４のナースカート。
【請求項６】
トレイの凸部は、底壁下面の四隅近傍の４箇所か、又は少なくとも底壁の前方寄りの左右部の２箇所か、若しくは後方寄りの左右部の２箇所に設けると共に、トレイの載置部には前記凸部に対応する位置に保持部を設ける請求項４〜６のナースカート。
【請求項７】
トレイの挟持凸部が底壁の一方側寄りの少なくとも２箇所に設けられている場合には、他方側寄りの少なくとも２箇所に位置決め用凸部を設けると共に、トレイの載置部には前記位置決め用凸部に対応する位置決め用凹部または穴を設ける請求項６のナースカート。
【請求項８】
トレイの底壁下面に設けた４箇所の挟持凸部、又は２箇所の挟持凸部と２箇所の位置決め用凸部の底壁外周縁寄りに前記底壁から突出した脚部を設ける請求項７のナースカート。
【発明の詳細な説明】
【技術分野】
【０００１】
本発明は、トレイの取付け、取り外しを容易にしたナースカートに関する。
【背景技術】
【０００２】
病院等の医療の現場において、薬剤、医療資材や器具、或はパソコン等の種々の資材，器材を運搬するためにナースカートが使用されている。ナースカートの一般的形態は、キャスタを有するベース部と、ベース部に立設された支柱部と、該支柱部に支持されるトレイと、前記支柱部の上端部に設けられた天板とを備えたものである。
【０００３】
上記ナースカートについては、装備するトレイへの医療資材等の出し入れを容易にできること、或は積載する医療資材等の量を多くできる形態のトレイを装備できることや、多数のトレイを装備できることを目的として、1本支柱のナースカート（特許文献１〜４参照）が提案されている。因みに、ナースカートにおけるトレイを支持するために設けられている支柱は、２本〜４本のものが多かった。
しかし、1本支柱に支持されるトレイは、トレイの支持形態が２本支柱に支持されるトレイに比べ、１本支柱での支持であるため支持形態が特異な形態になり、このため清掃や消毒を行う際のトレイの着脱が容易でなかった。特異な支持形態となるのは、走行中にトレイが支柱等の装着部位からずれたり外れたりしないようにするためである。
【０００４】
ナースカートにおける１本支柱によるトレイの支持形態の例として、支柱に係止孔を複数設け、この係止孔に係合する係止突起を有するブラケットにトレイの外周を嵌め込むリングを結合させ、ブラケットを係止突起が係止孔に嵌まり込むように係止させ、前記リングにトレイを嵌め込むようにした支持形態のナースカート（特許文献1参照）が提案されている。
【０００５】
しかし、この支持形態では、ナースカートを移動させるときなどに大きな振動が加わると、トレイがリングから外れたり、ブラケット自体が支柱から外れるおそれがある。
【０００６】
この点に関し、ブラケットの振動を規制する抜け止め機構を設けてブラケットのがたつきを抑え込み、さらにトレイをブラケットにビス止めすることによりトレイが外れることを防止する技術（特許文献２参照）が提案されている。
しかし、この支持形態ではトレイの着脱において、いちいちビスを締めたり緩めたりする必要があり、トレイの着脱がかなり煩わしい。
【０００７】
一方、トレイの支持構造に関して、特許文献３によりトレイが支持部から使用中に外れるのを防止するため、トレイの載置部に対する手動操作タイプの離脱機構を設けた構造が提案されており、また特許文献４では、トレイの底面に形成した係止爪が板状載置部の外側縁にトレイのスライドによって係合離脱するスライド操作タイプの支持形態が提案されているが、これらの支持構造はいずれも構造が複雑であるためトレイの着脱操作が煩雑になるという難点がある。
【先行技術文献】
【特許文献】
【０００８】
【特許文献１】特開２０１４−１８３８６号公報
【特許文献２】特許第５８５１２０３号公報
【特許文献３】特開２０１７−１２６２０号公報
【特許文献４】特開２０１７−１９６０１号公報
【発明の概要】
【発明が解決しようとする課題】
【０００９】
本発明は、上記のような１本支柱のナースカートに装備されるトレイの支持形態の問題点に鑑み、トレイの支持部に対するトレイの係合、離脱構造を簡潔な形態にしてトレイの着脱操作を容易にし、走行中の振動などによってもトレイが容易に外れることが無いようにしたナースカートを提供することを、課題とする。
【課題を解決するための手段】
【００１０】
上記課題を解決することを目的としてなされた本発明の構成は、キャスタを備えるベース部と、前記ベース部に立設された複数の係止孔を有する支柱部と、上面が開放された略箱状のトレイと該トレイを載せる載置部であって前記トレイを上から前記載置部に凹凸嵌合させる固定手段を設けたトレイおよび載置部と、前記載置部を支持して前記支柱部の係止孔に係止されるブラケット部と、を備えることを特徴とする。
本発明では、前記載置部とブラケットによりトレイの載置部材を形成する。
【発明の効果】
【００１１】
本発明によれば、トレイをナースカートに取付け、取外すためのトレイと載置部の係合、離脱構造が至って簡潔であり、それ故にトレイの載置部への着脱を容易かつ迅速にでき、しかも振動などを受けてもトレイが載置部から外れにくいトレイの支持構造を備えたナースカートを提供できる。
【図面の簡単な説明】
【００１２】
【図１】本発明の実施形態例によるナースカートの斜視図。
【図２】トレイを取り外した図1のナースカートの正面図。
【図３】トレイを背面側から見た斜視図。
【図４】図３のトレイの底面図。
【図５】図４のトレイのＢ−Ｂ拡大断面図。
【図６】図４のトレイのＡ−Ａ拡大断面図。
【図７】載置部材を前方側から見た斜視図。
【図８】図７の載置部材の平面図。
【図９】図７の載置部材の正面図。
【図１０】図７の載置部材の右側面図。
【図１１】キャッチ部材の正面図。
【図１２】図１１のキャッチ部材の平面図。
【図１３】図１１のキャッチ部材の右側面図。
【図１４】支柱部に積載部材を介して支持させたトレイの下面側からの斜視図。
【図１５】支柱部に積載部材を介して支持させた脚を省略したトレイの拡大正面図。
【図１６】トレイ底面の凸状挟持部と対応する載置部材の保持部を示す拡大斜視図。
【図１７】トレイを載せた載置部材の支柱への取付状態の拡大側断面図。
【図１８】支柱部の図１７におけるＣ−Ｃ拡大断面図。
【発明を実施するための形態】
【００１３】
次に、本発明ナースカート１について、実施の形態例の図面を参照しながら説明する。
図１は、本発明ナースカート１の一例の斜視図である。図１に示す本発明ナースカート１は、ベース部１０と、ベース部１０に立設した支柱部１１と、後述する載置部材１６を介して支柱部１１に取付けた少なくとも1個のトレイ１２と、前記支柱部１１の上端部に設けた天板１３と、を備える。
【００１４】
図１のベース部１０は、２本の平行な縦部材１０Ａと、２本の縦部材１０Ａを互いに連結する横部材１０Ｂとを備える。縦部材１０Ａは水平方向に延びた断面外形が略矩形の棒状部材であり、横部材１０Ｂよりも長い。前記ベース部１０は平面視略Ｈ状として示されているが、ベース部材１０には、縦部材１０Ａと横部材１０Ｂによって平面視略Ｘ状に形成したものもある。前記縦部材１０Ａの前後方向端部にはキャスタ１４がそれぞれ設置されている。
本明細書においては、図１の縦部材１０Ａの長手方向を前後方向といい、ナースカート１の押進移動方向を前方といい、該前方と反対側を後方という。そして前記の前後方向に水平面内で直交する方向を左右方向といい、前記水平面に直交する方向を上下方向という。支柱部１１に取付けられたトレイ１２に関しては、トレイ１２を側面から見たとき、ナースカート１の押進移動方向側を前部といい、該前部の反対側を後部という。
【００１５】
前記ベース部１０において、横部材１０Ｂは縦部材１０Ａの長さ方向の中間位置よりも後方側に寄せて設置されている。そして前記横部材１０Ｂの上面の略中央部分に支柱部１１を立設することにより、支柱部１１の前方にトレイ１２の装備空間を確保している。また、前記横部材１０Ｂにおいて、支柱部１１が立設された位置の下面側にはストッパ１５が設けられている。なお、支柱部１１の平断面外形は、図１８に示したように略円形であるが、支柱部１１の平断面外形は、楕円形や長円形、或は角を丸めた多角形、例えば略矩形等であってもよい。
【００１６】
図１において、ストッパ１５は、一例として２つのペダル１５ａと、上下伸長部１５ｂと、回転部１５ｃとを備えている。一方のペダル１５ａを踏むと上下伸長部１５ｂはナースカート１を床面から数ミリ浮かせるように伸びる。回転部１５ｃは上下伸長部１５ｂの下端に設置され、水平方向に回転する。従って、上下伸長部１５ｂが伸びた状態において天板１３を掴んで左右いずれかの方向に回転させると、ナースカート１は回転部１５ｃを中心としてその場において回転する。
【００１７】
図１に示したトレイ１２は、上面を開放した有底の略箱型形状をなす。トレイ１２は、上から載置して凹凸嵌合で固定される載置部１６Ａと、該載置部１６Ａを支柱部１１に結合するブラケット１６Ｂとを一体状態で備えた載置部材１６を介して、支柱部１１に掛止されている。なお、トレイ１２については図４〜図６により、および載置部材１６については図７〜図１０により後に詳しく説明する。
【００１８】
図１の天板１３は、上端面が略平面形状の平面部１３Ａと、平面部１３Ａの外周全域を囲むように形成された膨出部によるハンドル代替部１３Ｂ，１３Ｃを備えている。別製のハンドル部材が天板１３の後端部に設けられるタイプもある。ハンドル代替部１３Ｂ，１３Ｃは、その部分を手で掴んでナースカート１の押進、後退を操作する。
【００１９】
図２は、トレイ１２を取り外した図１の本発明ナースカート１の正面図である。図２には支柱部１１の正面の姿が現われているが、支柱部１１の裏面の姿も正面と同様に現われる。図２に示すように、支柱部１１は、正面視において上下方向に複数の係止孔１１ａを２列平行に備える。掛止孔１１ａは、縦幅が横幅より長い縦長スリット状であり、載置部材１６が有するブラケット１６Ｂの上向き掛止爪部１６１と下向き掛止爪部１６２（図１０、図１７参照）が差し込まれるのに十分な奥行きを有する（図１８参照）。なお、図１８において、１１ｂは外周面の正面と背面（図１８では左右側）に対称的に２列の係止孔１１ａを形成した外柱、１１ｃは外柱１１ｂの内部にガスシリンダ式で昇降するように収装された内柱、１１ｄは前記外柱１１ｂの内面に形成した内柱１１ｃの昇降用のガイドレール、１１ｅは前記ガイドレール１１ｄに案内保持される内柱１１ｃのローラである。また、前記掛止孔１１ａは、支柱部１１の正面と背面に、各２列が平行に設けられているが、３列以上であってもよい。
【００２０】
図３は、本発明ナースカート１が着脱自在に装備するトレイ１２を背面側から見た斜視図である。図３〜図６に示すように、トレイ１２は上面が開放された平面視略矩形の浅底箱状をなし、底壁１２ａの外周を囲む形で底壁１２ａと一体の立壁状の周壁１２ｂを有する。前記周壁１２ｂは、支柱部１１に対面する部位(後部)を支柱部１１の外形の曲面に合わせてへこませた凹部１２ｃを有する。この凹部１２は、トレイ１２を支柱部１１に載置部材１６を介して支持させる際、当該凹部１２ｃを支柱部１１に向けることによりこのトレイ１２の装着方向とおよその位置決めガイドとして作用する。
【００２１】
図４は前記トレイ１２の底面図、図５は図４のＢ―Ｂ拡大断面図、図６は図４のＡ−Ａ拡大断面図である。図４〜図６に示すように、トレイ１２は、底壁１２ａの下面に、凸部の一例として4つの挟持凸部１２１を備えている。挟持凸部１２１は、図７〜図１０に示す載置部材１６の上に配置した、凹部の一例としてバネ作用による挟持力を有する４つの保持部１６１に夫々に挟持される。前記挟持凸部１２１と保持部１６１により本発明における凹凸嵌合の固定手段の一例を形成する。前記挟持凸部１２１と保持部１６１の配置パターンは、上記例の他に、例えば底壁１２ａの外周の４辺の夫々に対応させて部１２１と保持部１６１を配置する謂わば菱形パターンのような配置もある。
【００２２】
図７〜図１０に例示した載置部材１６における載置部１６Ａに配置した凹部の一例である保持部１６１は、一例として図１１〜図１３に示したバネ作用で挟持凸部１２１を保持するキャッチ部材１６１ａにより形成される。前記キャッチ部材１６１ａは、載置部１６Ａの略四隅近傍に形成したキャッチ部材１６１ａの取付穴１６１ｂに取付けられて保持部１６１を形成している。
キャッチ部材１６１ａは、前記取付穴１６１ｂに上から嵌合される正断面略凹状のケーシング１６ａと、該ケーシング１６ａの凹部の底に立設した略逆八状のバネ作用をする挟持片１６ｂとにより形成されている。前記キャッチ部材１６１ａにおいて、１６ｃはケーシング１６ａの上端部の左右に水平に形成した翼状部、１６ｄは前記翼状部１６ｃの下に形成した係止片であり、前記翼状部１６ｃと係止片１６ｄで取付穴１６１ｂの縁を上下面から挟んで掴む。
【００２３】
図４〜図６のトレイ１２において、底壁１２ａの下面の略四隅近傍には、断面形状において根元側より先側が太い大略紡錘形の短梁状で両端部が支持壁１２１ａに支持された挟持凸部１２１（図１６参照）が４つ設けられている。挟持凸部１２１は、トレイ１２の
前部と後部（凹部１２ｃの側）で平面内の配置向き９０度違えて夫々左右一対が配置されている。図の例ではトレイ１２の後部側では挟持凸部１２１がトレイ１２の前後方向に沿った向きで、トレイの前部側では挟持凸部１２１がトレイ１２の左右方向に沿った向きで配置されている（図４、図１４参照）。
前記挟持凸部１２１は、図示したように支持壁１２１ａを備えて底壁１２ａと一体に形成されたもののほか、別製されたものを底壁１２ａの下面に固着したものであってもよい。また図示した挟持凸部１２１は、断面略紡錘形で所要高さを有するものであるが、断面形状の根元側より先側が太くなった凸部を備えていれば短柱状やダボ状等であってもよい。
挟持凸部１２１において、保持部１６１のバネ作用で挟持されるのは、太い先端側よりも細い根元側（根元部乃至その近傍の部位）である。先端側の太い部位より細い部分がバネ作用で挟持されるから一旦保持部１６１に保持されると直ちには抜けない。
【００２４】
挟持凸部１２１を略四隅近傍に４つ設けた底壁１２ａの下面においては、各挟持凸部１２１から見て当該底壁１２ａの外周縁寄りの部位に、平面視大略Ｌ状をなす立壁状の脚部１２２を４つ設けている。４つの脚部１２２の内面（挟持凸部１２１に対面する側）には、複数のリブ１２２ａが立てられており、トレイ１２を載置部１６Ａに装着する際、この載置部１６Ａの外周縁辺が前記リブ１２２ａに当接することにより、各脚部１２２がトレイ１２の載置部１６Ａに対する平面内での位置決め作用をする。
【００２５】
また前記脚部１２２は、トレイ１２をテーブルの天板等の平坦面上に置いたときの接地脚としても作用する。従って各脚部１２２は挟持凸部１２１の底壁１２ａからの突出量と少なくとも同等以上の高さ（底壁１２ａからの距離）を有している。脚部１２２を設けない場合には、前記挟持凸部１２１が接地脚として作用する。
【００２６】
図７は、載置部材１６の斜視図である。図７に示す載置部材１６は、載置部１６Ａとブラケット部１６Ｂを備えている。載置部１６Ａは、正断面略逆ハット状の板部材で形成され、前記トレイ１２の底壁１２ａの下面に設けた挟持凸部１２１を外面からバネ作用で挟持する前記キャッチ部材１６１ａを取付けるための取付穴１６１ｂを、左右の翼状平坦部１６１ｃに備えている。
前記載置部１６Ａは、その凹状部１６１ｄの後端側において、翼状平坦部１６１ｃがなす略水平面に直交する向きで左右に平行配置した２組の上向き及び下向きの係止爪部１６２，１６３を備える。前記左右の係止爪部１６２，１６３は、夫々から前記凹状部１６１ｄの手前側に延びた２本の結合アーム１６４と、左右の係止爪部１６２，１６３を当該爪部の背面側で連結する連結材１６５を備えてブラケット部１６Ｂを形成している。と一体化されて載置部材１６を構成している。
上記ブラケット部１６Ｂは、載置部１６Ａの凹状部１６１ｄの上面に延びた２本の連結アーム１６４が断面略Ｌ状部を有しているので、そのＬ状の水平部１６４ａにおいてビス止めやスポット溶接などで載置部１６Ａと一体化され、載置部材１６を形成する。
【００２７】
前記載置部１６Ａが略逆ハット状断面であるのは、載置部材１６は支柱部１１に対して片持ち梁となるのでその強度を確保するためである。またブラケット部１６Ｂの結合アーム１６４を前記略逆ハット状の凹状部１６１ｄの上面に結合したのは、載置部１６Ａの下面に前記結合アーム１６４との結合部等の凹凸を露出させないためである。前記凹凸を露出させないのは使用者が下のトレイ１２に手を入れるとき等に上方のトレイ１２の載置部材１６の下面の凹凸部に触れて引っ掛ったり負傷等することが無いようにするためである。
【００２８】
上記において、載置部１６Ａの平面形状は、平面視略四角形で足りるが、図示した例では左右の側面を凹陥させた形状としている。また、上記載置部１６Ａの正断面形状は略逆ハット状であるが、例えば略フラットな正断面形状で前後方向に複数本のリブを形成したもの等、上記例以外の断面形状のものであってもよい。
また、上記例では、ブラケット部１６Ｂに面状部を有する載置部１６Ａを一体化し、この載置部１６Ａの上に、挟持凸部１２１をバネ作用で挟持するキャッチ部材１６１ａを保持部１６１の一例として配置したが、本発明ではブラケット部１６Ｂの２本に連結アーム１６４の上に、トレイ底壁１２ａが備える挟持凸部１２１に対応する位置に保持部１６１を直に配置して載置部１６Ａとする形態の載置部材１６もある。
【００２９】
図１７は、トレイ１２の支柱部１１への取付態様を示す図である。図１７に示すように、載置部材１６におけるブラケット部１６Ｂの上向き係止爪部１６と下向き係止爪部１６が支柱部１１の係止孔１１ａに挿し込まれてこの載置部材１６が支柱部１１に着脱可能に係止され、載置部１６Ａにトレイ１２を載置できる状態になる。
なお、前記係止爪部１６２，１６３による爪部の組は、支柱部１１の係止孔１１ａが２列だから左右一対（図２，図８参照）であるが、支柱部１１の係止孔１１ａが３列以上のときは、係止孔１１ａの列数に合わせて３列以上設ける。
【００３０】
次に、載置部材１６の載置部１６Ａにトレイ１２を装着する態様について説明する。
まずトレイ１２を手で持って載置部１６Ａの上方に位置付け、この状態でトレイ１２の後面の凹部１２ｃを目印とする支柱部１１に対応させつつ、底壁１２ａの下面後部に設けた挟持凸部１２１を、載置部１６Ａの後部側の保持部１６１に軽く当てがう（図１６参照）。
そうすると前記底壁１２ａの前部側の挟持凸部１２１と載置部１６Ａの前部側のキャッチ部材１６１ａとが自ずから対面状態となって仮位置決め状態になる。そこでこのままトレイ１２を載置部１６Ａに向かって上方から軽く押下げると、底壁１２ａの４つの挟持凸部１２１が、載置部１６Ａの４つの保持部１６１が夫々に備えるキャッチ部材１６１ａの挟持片１６ｂのバネ作用によって挟持されるから、トレイ１２の載置部１６Ａへの装着ができる。
【００３１】
このように本発明では、トレイ１２の挟持凸部１２１と載置部１６Ａの保持部１６１における仮位置決めのための当てがい操作と同時になされる押下げ操作という簡単な操作でトレイ１２を載置部１６Ａに装着できるから、トレイ１２を、載置部材１６を介して支柱部材１１に容易に取付けることができる。
【００３２】
本発明において、トレイ１２の凸部の一例である挟持凸部１２１に嵌合する凹部は、そ一の例である保持部１６１のキャッチ部材１６１ａに限られず、例えば取付穴１６１ｂに配置した穴の内周縁がバネ作用をする縁部を備えた穴状部材であってもよい。また、保持部１６１において、前記凸部との嵌合状態を保持するのに上記実施例ではバネ作用を利用したが、嵌合状態の保持は摩擦（フリクション）による保持作用であってよい。
また、前記４つの挟持凸部１２１は、底壁１２ａの前方寄りまたは後方寄りの挟持凸部１２１、又は前記挟持凸部１２１に代わる別の凸部を位置決め用凸部とし、この位置決め用凸部１２１に対応した位置にある保持部１６１は、この保持部１６１に代えて位置決め用凹部または穴を形成してもよい。
本発明において、挟持凸部１２１を一例とする凸部を載置部１６Ａに設け、キャッチ部材１６１ａを一例とする凹部をトレイ１２の底壁１２ａに設けることもある。
【００３３】
以上の実施形態は、トレイ１２の底壁１２ａに配置した凸部を挟持凸部１２１として、またトレイ１２を装着，離脱するため載置部１６Ａに設ける凹部である保持部１６１をバネ作用で前記凸部１２１を嵌合するキャッチ部材１６１ａや穴状部材として説明したが、本発明において凸部と凹部の凹凸嵌合による固定手段に代えて下記のような固定手段を用いることができる。
【００３４】
例えば、図示しないが挟持凸部１２１に代えて適宜大きさの面ファスナの雌，雄部材の一方をトレイ１２の底壁１２ａに配置し、前記保持部１６１に代えて前記面ファスナの雌雄部材の他方を載置部１６Ａに配置することにより、面ファスナの雌雄部材間に作用する絡み力によってトレイ１２を載置部１６Ａに上から置くだけでそのトレイ１２を載置部１６Ａに固定することができる。トレイ１２を取り外すには、トレイを持上げて面ファスナの雌雄部材の絡みを解けばよい。
【００３５】
また、前記挟持凸部１２１に代えて、磁石や磁力シート材等による磁力性部材をトレイ１２の底壁１２ａに配置して係着部とし、載置部１６Ａを鋼板等の強磁性材で形成することにより、前記係着部の磁力による吸着力が作用する保持部とすることができる。この場合において、載置部１６Ａの保持部１６１に代えて前記磁力性部材を配置するとき、トレイ１２がプラスチック等に代わる強磁性材製であるときはそのままでよいが、前記トレイ１２がプラスチック等の非磁性体であるときは、前記磁力性部材による保持部１６１に対応してトレイ１２の底壁１２ａに磁石を含む板状，シート状等の磁性体を配置して、磁力がトレイ１２の固定力として作用するようにする。
【００３６】
以上の説明は、トレイ１２の凸部と載置部１６Ａの凹部の凹凸嵌合とその解除を、トレイ１２を載置部１６Ａの上方から下して凹凸嵌合させて載置部１６Ａに装着し、凹凸嵌合しているトレイ１２を上方へ持上げて前記凹凸嵌合を解いて載置部から取外す着脱形態の例である。
【００３７】
本発明では、トレイ１２の凸部と載置部１６Ａの凹部の凹凸嵌合を、トレイ１２を上方から下した終端において載置部１６Ａの平面内で水平方向にトレイ１２を変位させて凹凸嵌合させ、この凹凸嵌合の解除は、操作始めにトレイ１２を水平に変位させて凹凸嵌合を解いて上方へ持上げる形態とすることができる。
例えば、図１６において挟持片１６ｂを上向きにして設けていたキャッチ部材１６１ａを、図７の載置部１６Ａの翼状平坦部１６１ｃの上に、前記挟持片１６ｂを横向きにして設ける一方、トレイ１２の底壁１２ａの下面に下向きで設けていた挟持凸部１２１を底壁１２ａに横向きに設ける。
こうすると、トレイ１２を載置部１６Ａの上に下しその終端でトレイ１２を横方向に変位させて横向き挟持凸部１２１を横向きキャッチ部材１６１ａに嵌合させることができ、トレイ１２を外すときは、まずトレイ１２を前記とは逆向きに動かして嵌合を解き、上方へ持上げればよい。
【００３８】
以上のようにしてトレイ１２を支柱部１１に支持させた本発明ナースカート１の実施例では、水平面内での揺れに対しては、トレイ１２が、その底壁１２ａの下面の四隅近傍に設けた４つの挟持凸部１２１において載置部１６Ａの４つの保持部１６１に水平方向で拘束されているから、載置部１６Ａからトレイ１２が逸脱することはまず考えられない。また上下方向での揺れに対しても、４つの挟持凸部１２１が４つの保持部１６１にバネ力で挟持され上下方向でも拘束されているから逸脱することはない。
【００３９】
ナースカート１の通常の使用状態では、急旋回や走行中の廊下の壁への衝突など水平面内での力がトレイ１２に及ぶことが多く、カート走行中に生ずる上下動は、床面の不陸や車輪の歪み等による微細な上下動程度で、上下に跳ね上がるような挙動は考えにくい。
このことから、トレイ１２と載置部１６Ａの係合状態を保持するための機構は、上記実施例に説明したもので十分と考えられる。
前記トレイ１２を載置部１６Ａから外す場合には、トレイ１２の前部を少し持ち上げて挟持凸部１２１を保持部１６１の保持から外せば、後はこのトレイ１２を載置部１６Ａから持ち上げるだけで容易に取り外すことができる。
【００４０】
本発明は以上の通りであるから、１本支柱のナースカートにおける支柱部に対するトレイの取付、離脱構造を至って簡潔な構造で提供でき、また構造簡潔ゆえにトレイの取付けや取り外しの操作も容易かつ迅速にできるようにしたナースカートを提供できる。
【００４１】
以上はトレイ１２の載置部１６Ａを有する載置部材１６が１本の支柱部１１に片持ち梁状態で支持された例であるが、前記載置部材１６は左右２本の支柱部１１に支持されたものであっても、トレイ１２の底壁１２ａの挟持凸部１２１を一例とする凸部と、載置部１６Ａの保持部１６１を一例とする凹部は、上記例と同じものが適用できる。
【符号の説明】
【００４２】
１  ナースカート
１０  ベース部
１０Ａ  縦部材
１０Ｂ  横部材
１１  支柱部
１１ａ  係止孔
１２  トレイ
１２ａ  底壁
１２ｂ  周壁
１２ｃ  凹部
１２１  挟持凸部
１３  天板部
１４  キャスタ
１５  ストッパ
１６  載置部材
１６Ａ  載置部
１６１  保持部
１６Ｂ  ブラケット部
１６２  向き係止爪部
１６３  下向き係止爪部
【図１】
2019013670.tif 000003
【図２】
2019013670.tif 000004
【図３】
2019013670.tif 000005
【図４】
2019013670.tif 000006
【図５】
2019013670.tif 000007
【図６】
2019013670.tif 000008
【図７】
2019013670.tif 000009
【図８】
2019013670.tif 000010
【図９】
2019013670.tif 000011
【図１０】
2019013670.tif 000012
【図１１】
2019013670.tif 000013
【図１２】
2019013670.tif 000014
【図１３】
2019013670.tif 000015
【図１４】
2019013670.tif 000016
【図１５】
2019013670.tif 000017
【図１６】
2019013670.tif 000018
【図１７】
2019013670.tif 000019
【図１８】
2019013670.tif 000020